(57)【要約】【課題】冷却媒体の貯蔵量が少なくなっても常に適切な量で冷却媒体を供給できるようにして使い勝手を良好とする。【解決手段】電動工具用注水装置３０は、ハンマードリル１に装着可能なケーシング３１に、ハンマードリル１のビット１０への注水口４０を突設すると共に、冷却媒体となる水を貯留する貯水タンク４３とポンプ４５とを搭載してなり、ハンマードリル１から電源を得た注水コントローラ４７は、ハンマードリル１の作動と連動してポンプ４５を作動させて弁４６を開弁させ、貯水タンク４３の水を注水口４０に供給可能となっている。【選択図】図１
2016087752.tif 000002
【特許請求の範囲】
【請求項１】
電動工具に装着可能なケーシングに、前記電動工具の先端工具への注水口を突設してなる電動工具用注水装置であって、
冷却媒体を貯留する貯水タンクとポンプとを搭載し、当該ポンプによって前記貯水タンクの冷却媒体を前記注水口に供給可能としたことを特徴とする電動工具用注水装置。
【請求項２】
前記電動工具への装着状態で前記電動工具から前記ポンプの電源が供給されることを特徴とする請求項１に記載の電動工具用注水装置。
【請求項３】
前記ポンプの電源を、前記電動工具と独立して備えることを特徴とする請求項１に記載の電動工具用注水装置。
【請求項４】
前記ポンプは前記電動工具の作動に連動して作動することを特徴とする請求項１乃至３の何れかに記載の電動工具用注水装置。
【請求項５】
前記ポンプの作動用のスイッチを備えることを特徴とする請求項１乃至３の何れかに記載の電動工具用注水装置。
【請求項６】
前記注水口は、前記先端工具の突出方向で前後に移動可能であり、前記ポンプは、前記注水口の後退に連動して作動することを特徴とする請求項１乃至３の何れかに記載の電動工具用注水装置。
【請求項７】
前記注水口は、前記先端工具の突出方向で前後に移動可能であることを特徴とする請求項１乃至５の何れかに記載の電動工具用注水装置。
【請求項８】
前記注水口は、前記先端工具が貫通可能なリング状であることを特徴とする請求項１乃至７の何れかに記載の電動工具用注水装置。
【請求項９】
前記貯水タンクに冷却媒体を供給するホースを接続可能としたことを特徴とする請求項１乃至８の何れかに記載の電動工具用注水装置。
【請求項１０】
前記ポンプの出力を切替可能な切替操作部を設けたことを特徴とする請求項１乃至９の何れかに記載の電動工具用注水装置。
【請求項１１】
請求項１乃至１０の何れかに記載の電動工具用注水装置を装着してなる電動工具。
【発明の詳細な説明】
【技術分野】
【０００１】
本発明は、電動ドリルやハンマードリル等の電動工具の先端工具に水等の冷却媒体を供給するために装着される電動工具用注水装置と、その注水装置を装着した電動工具とに関する。なお、説明の便宜上「注水」としているが、冷却媒体としては水に限らず、専用の冷却液であっても差し支えない。
【背景技術】
【０００２】
電動ドリルやハンマードリル等の電動工具には、穿孔作業等の際の先端工具の損傷や焼き付きを防止するために、水等の冷却媒体を供給して冷却する場合がある。この冷却媒体を供給するために、例えば特許文献１に開示されるような注水装置が知られている。この注水装置は、電動工具のハウジングに案内装置を介して連結されて冷却媒体を貯留する貯蔵装置を有し、貯蔵装置の端部に設けたバルブを押圧体によって押圧可能とすると共に、押圧体に、調整ネジを介して穿孔面に当接するヘッドを連結して、ヘッドにバルブと連結される供給装置を接続してなる。よって、先端工具による穿孔作業でヘッドが押し込まれると、調整ネジを介して押圧体がバルブを押圧してバルブが開き、貯蔵装置から供給装置を介して先端工具に冷却媒体が供給されることになる。
【先行技術文献】
【特許文献】
【０００３】
【特許文献１】特開平１１−３３３６１０号公報
【発明の概要】
【発明が解決しようとする課題】
【０００４】
上記特許文献１の注水装置においては、貯蔵装置のバルブを開くことで冷却媒体を供給するため、冷却媒体の貯蔵量が少なくなると冷却媒体の供給される勢いが低下したり、残量があっても供給されなかったりして使い勝手が悪くなってしまう。
【０００５】
そこで、本発明は、冷却媒体の貯蔵量が少なくなっても常に適切な量で冷却媒体を供給でき、使い勝手に優れる電動工具用注水装置及び電動工具を提供することを目的としたものである。
【課題を解決するための手段】
【０００６】
上記目的を達成するために、請求項１に記載の発明は、電動工具に装着可能なケーシングに、電動工具の先端工具への注水口を突設してなる電動工具用注水装置であって、冷却媒体を貯留する貯水タンクとポンプとを搭載し、当該ポンプによって貯水タンクの冷却媒体を注水口に供給可能としたことを特徴とするものである。
請求項２に記載の発明は、請求項１の構成において、電動工具への装着状態で電動工具からポンプの電源が供給されることを特徴とするものである。
請求項３に記載の発明は、請求項１の構成において、ポンプの電源を、電動工具と独立して備えることを特徴とするものである。
請求項４に記載の発明は、請求項１乃至３の何れかの構成において、ポンプは電動工具の作動に連動して作動することを特徴とするものである。
請求項５に記載の発明は、請求項１乃至３の何れかの構成において、ポンプの作動用のスイッチを備えることを特徴とするものである。
請求項６に記載の発明は、請求項１乃至３の何れかの構成において、注水口は、先端工具の突出方向で前後に移動可能であり、ポンプは、注水口の後退に連動して作動することを特徴とするものである。
請求項７に記載の発明は、請求項１乃至５の何れかの構成において、注水口は、先端工具の突出方向で前後に移動可能であることを特徴とするものである。
請求項８に記載の発明は、請求項１乃至７の何れかの構成において、注水口は、先端工具が貫通可能なリング状であることを特徴とするものである。
請求項９に記載の発明は、請求項１乃至８の何れかの構成において、貯水タンクに冷却媒体を供給するホースを接続可能としたことを特徴とするものである。
請求項１０に記載の発明は、請求項１乃至９の何れかの構成において、ポンプの出力を切替可能な切替操作部を設けたことを特徴とするものである。
上記目的を達成するために、請求項１１に記載の発明は、電動工具であって、請求項１乃至１０の何れかに記載の電動工具用注水装置を装着してなることを特徴とするものである。
【発明の効果】
【０００７】
請求項１及び１１に記載の発明によれば、ポンプによって貯水タンクの冷却媒体を注水口に供給可能としたことで、貯水タンクの貯蔵量が少なくなっても常に適切な量で冷却媒体を供給でき、使い勝手に優れたものとなる。
請求項２に記載の発明によれば、請求項１の効果に加えて、電動工具からポンプの電源を得るようにしたことで、専用の電源が不要となり、軽量化やコストの抑制に繋がる。
請求項３に記載の発明によれば、請求項１の効果に加えて、電源を独立して備えるようにしたことで、電動工具での電源消費量が少なくなってＤＣ工具であればバッテリーの充電頻度が少なくて済む。
請求項４に記載の発明によれば、請求項１乃至３の何れかの効果に加えて、ポンプを電動工具の作動に連動させたことで、電動工具の使用の際には自動的に先端工具への注水がなされて確実な冷却が可能となる。
請求項５に記載の発明によれば、請求項１乃至３の何れかの効果に加えて、ポンプの作動用のスイッチを備えたことで、例えば電動工具の作動停止後に先端工具の冷却のために電動工具用注水装置を単独で作動させるといった使用が可能となり、使い勝手がより良好となる。
請求項６に記載の発明によれば、請求項１乃至３の何れかの効果に加えて、ポンプを注水口の後退に連動して作動させたことで、作業前の電動工具の作動で電動工具用注水装置が作動して無駄な電力や水を消費することがなく、必要なタイミングで注水を行うことができる。
請求項７に記載の発明によれば、請求項１乃至５の何れかの効果に加えて、注水口を前後に移動可能としたことで、穿孔が進んでも注水口を作業面への当接位置に維持させることができ、先端工具が常に冷却可能となる。
請求項８に記載の発明によれば、請求項１乃至７の何れかの効果に加えて、注水口をリング状としたことで、先端工具の周囲から万遍なく注水可能となり、冷却効果が高まる。
請求項９に記載の発明によれば、請求項１乃至８の何れかの効果に加えて、貯水タンクに冷却媒体を供給するホースを接続可能としたことで、貯蔵量が減った場合に外部から冷却媒体を簡単に補給可能となる。
請求項１０に記載の発明によれば、請求項１乃至９の何れかの効果に加えて、ポンプの出力の切替操作部を設けたことで、先端工具の種類や作業に応じた適切な注水量が選択可能となる。
【図面の簡単な説明】
【０００８】
【図１】電動工具用注水装置を装着したハンマードリルの縦断面図である。
【図２】電動工具用注水装置の縦断面図である。
【図３】電動工具用注水装置の変更例の縦断面図である。
【図４】電動工具用注水装置の変更例の縦断面図である。
【図５】電動工具用注水装置の変更例の縦断面図である。
【発明を実施するための形態】
【０００９】
以下、本発明の実施の形態を図面に基づいて説明する。
図１は、電動工具であるハンマードリルに電動工具用注水装置（以下単に「注水装置」という。）を装着した例を示し、図２は注水装置を単体で示している。
まずハンマードリル１は、左右一対の半割ハウジングを組み付けてなるハウジング２の前側（図１の左側を前方とする。）下部にモータ３を、出力軸４を上向きにして収容しており、その上方でベベルギヤ５，５を介してトルク伝達される中間軸６に、前方から第１ギヤ７、クラッチ８、ボススリーブ９を備えている。中間軸６の上方には、先端工具としてのビット１０を先端に挿着可能なツールホルダ１１が中間軸６と平行に軸支されて、その後方に遊挿されたピストンシリンダ１２の後端に、ボススリーブ９にスワッシュベアリングを介して外装されたアーム１３が連結されている。ピストンシリンダ１２の内部には、空気室１４を介してストライカ１５が前後移動可能に外装されて、その前方に設けたインパクトボルト１６を打撃可能としている。第１ギヤ７は、ツールホルダ１１に装着された第２ギヤ１７と噛合している。
【００１０】
ハウジング２の後側上部には、スイッチ１９及びスイッチレバー２０を備えたハンドル１８が形成されており、ハンドル１８の下方には、電源となるバッテリーパック２１が装着されている。また、ハウジング２の前側下部は、前面が前下がり傾斜してバッテリーパック２１の前方に突出し、注水装置３０が装着される装着部２２となっている。この装着部２２の内部に、モータ３のコイル、スイッチ１９、バッテリーパック２１と電気的接続されるコントローラ２３が収容されると共に、装着部２２の下面で左右方向の中央には、前端が前方へ開放する案内溝２４が前後方向に凹設されている。
【００１１】
また、コントローラ２３の前方上側には、電源用と通信用との３つのメス端子を左右方向に並設したコネクタ２５が設けられている。このコネクタ２５は、前側が開口した角筒状で、左右の外面に形成した図示しない凹部と、左右の半割ハウジングの内面に突設した図示しないボスとの嵌合により、ボスを中心に上下方向へ回転可能に支持されている。さらに、コネクタ２５の上面前端には、ボスを中心とした円弧状の板体であるシャッタ部２６が上向きに一体形成される一方、装着部２２の下面中央でコネクタ２５の下方には、押圧片２７が上下方向へ移動可能に保持されている。
【００１２】
一方、装着部２２の前面におけるコネクタ２５の前方には、四角形状の差込口２８が開口形成されている。コネクタ２５は、シャッタ部２６が差込口２８の上方に退避して開口を差込口２８の真後ろに位置させる上側の接続位置と、シャッタ部２６が差込口２８の真後ろに位置して開口を差込口２８の下方に退避させる非接続位置とに回転可能となっている。但し、コネクタ２５は、図示しないトーションスプリングによって、注水装置３０を装着しない状態では、シャッタ部２６が差込口２８を閉塞する非接続位置に回転付勢されている。この非接続位置で押圧片２７は、下方へ退避したコネクタ２５に押圧されて、装着部２２を貫通して案内溝２４内へ突出するようになっている。
【００１３】
注水装置３０は、左右の半割ケーシングを組み付けてなる側面視Ｌ字状のケーシング３１を有し、右上部に、ハンマードリル１の装着部２２に嵌合する嵌合凹部３２を形成している。嵌合凹部３２内でケーシング３１の上部後面には、電源用と通信用との３つの板状のオス端子３３，３３・・が左右方向に所定間隔をおいて並設されて、後方へ突出している。
さらに、ケーシング３１の後部上面には、装着部２２の案内溝２４に嵌合する押圧レール３４が前後方向に突設されている。この押圧レール３４の後端には、後方へ行くに従って高さが低くなる傾斜面が形成されている。押圧レール３４の左右両側には、装着部２２の下部が嵌合可能な間隔で一対のガイドレール３５，３５が前後方向に立設されて、各ガイドレール３５の上端に、装着部２２の側面に設けた図示しない結合溝に嵌合可能な凸条３６がそれぞれ内側へ向けて突設されている。
【００１４】
一方、ケーシング３１の上部には、前端が開口し後端がＵ字状にターンしてケーシング３１の後方へ回り込む案内管３７が前後方向に設けられて、案内管３７に、スライド管３８が同軸で前後方向へスライド可能に保持されている。スライド管３８の前端には、Ｌ字状のノズル３９が保持されて、リング状の注水口４０を有する先端を上向きに突出させている。注水装置３０をハンマードリル１に装着した状態では、注水口４０にビット１０が貫通可能となっている。また、案内管３７とスライド管３８との内部には、前端がノズル３９と接続されるフレキシブルホース４１が収容されており、フレキシブルホース４１の後端には、案内管３７の後端形状に沿ってＵ字状に折り返した筒状のダクト４２が連結されている。このダクト４２の先端部はケーシング３１内に突出している。
【００１５】
そして、ケーシング３１内の下部には、貯水タンク４３が収容されて、ダクト４２の先端部と配管４４によって接続されている。この配管４４には、貯水タンク４３側に、モータ駆動するポンプ４５が、ダクト４２側に、配管４４を開閉する弁４６がそれぞれ設けられて、ケーシング３１内に設けた注水コントローラ４７に電気的に接続されている。この注水コントローラ４７は、オス端子３３と電気的に接続されて、オス端子３３がハンマードリル１のコネクタ２５に接続されることで、コントローラ２３から電源の供給を受けてポンプ４５及び弁４６を作動させるようになっている。４８は、ケーシング３１の前部を開閉する蓋体で、蓋体４８の開放により、貯水タンク４３等の出し入れやメンテナンスが行えるようになっている。また、４９は、貯水タンク４３に設けられた給水口で、取り出した貯水タンク４３に給水できる他、外部からホースを接続することもできる。
【００１６】
以上の如く構成されたハンマードリル１においては、注水装置３０を装着する際には、ハンマードリル１の装着部２２の下部にケーシング３１のガイドレール３５，３５を合わせて装着部２２がケーシング３１の後部上に位置する状態で、装着部２２に対して嵌合凹部３２を前方から嵌合させるように注水装置３０を後方へスライドさせる。すると、装着部２２の案内溝２４に注水装置３０の押圧レール３４が、結合溝にガイドレール３５の凸条３６がそれぞれ嵌合して後方へスライドする。このとき押圧レール３４は押圧片２７に当接するが、傾斜面によって押圧片２７を上方へ押し上げるため、コネクタ２５は、シャッタ部２６が上方へ退避して開口が差込口２８の真後ろに位置する接続位置へ移動する。
その後、注水装置３０のオス端子３３が開放した差込口２８からハウジング２内へ進入し、装着部２２が嵌合凹部３２へ嵌合すると同時にメス端子に挿通して電気的接続される（図１）。これと同時に注水装置３０の注水コントローラ４７へ電源が供給される。
【００１７】
そして、スライド管３８を前方へ延ばして注水口４０をビット１０の前方に位置させた状態で、ハンマードリル１のスイッチレバー２０を押し込み操作してスイッチ１９をＯＮさせると、モータ３が駆動して中間軸６を回転させる。このとき、ハウジング２の外部からクラッチ８をスライド操作して、第１ギヤ７のみと係合する前進位置、ボススリーブ９のみと係合する後退位置、第１ギヤ７及びボススリーブ９と同時に係合する中間位置の何れかを選択することで、第２ギヤ１７を介してツールホルダ１１が回転してビット１０を回転させるドリルモード、アーム１３の揺動によってピストンシリンダ１２を往復動させ、連動するストライカ１５によってインパクトボルト１６を介してビット１０を打撃するハンマーモード、ツールホルダ１１の回転とインパクトボルト１６の打撃とを同時に行うハンマードリルモードの選択が可能となる。よって、注水口４０を作業面に当接させてハンマードリル１を前進させれば、スライド管３８が相対的に後退し、ビット１０が注水口４０を貫通して穿孔等の作業が可能となる。
【００１８】
一方、スイッチ１９のＯＮによってコントローラ２３は、注水装置３０の注水コントローラ４７へ運転開始信号を送信する。よって、注水コントローラ４７は、ポンプ４５を作動させると共に、弁４６を開弁させる。これにより、貯水タンク４３内の水は配管４４を通ってダクト４２及びフレキシブルホース４１に送られ、ノズル３９の注水口４０からビット１０の周囲に注水され、ビット１０が冷却される。穿孔が進んでハンマードリル１が前進しても、スライド管３８が相対的に後退して注水口４０は常に作業面に当接しているので、ビット１０は常に冷却されることになる。
作業終了後、スイッチレバー２０の押し込みを解除してスイッチ１９をＯＦＦさせると、モータ３が停止してビット１０の回転等が停止する。同時にコントローラ２３が注水装置３０の注水コントローラ４７へ運転停止信号を送信することで、注水コントローラ４７はポンプ４５を停止させて弁４６を閉弁させるため、注水口４０への注水も停止する。
【００１９】
注水装置３０の取り外しは、装着時と逆に注水装置３０をハンマードリル１から前方へスライドさせると、案内溝２４による押圧レール３４の案内及び結合溝による凸条３６の案内で注水装置３０が前方へスライドし、これに従ってオス端子３３がコネクタ２５から離間して差込口２８から抜き取られる。その後、前進した押圧レール３４による押圧片２７の押し上げを解かれたコネクタ２５がトーションスプリングの付勢によって非接続位置へ復帰するため、シャッタ部２６が再び差込口２８を閉塞することになる。
【００２０】
このように、上記形態の注水装置３０及びハンマードリル１によれば、ポンプ４５によって貯水タンク４３の水を注水口４０に供給可能としたことで、貯水タンク４３の貯水量が少なくなっても常に適切な量で注水でき、使い勝手に優れたものとなる。
特にここでは、ハンマードリル１への注水装置３０の装着状態でハンマードリル１からポンプ４５の電源が供給されるので、注水装置３０に専用の電源が不要となり、軽量化やコストの抑制に繋がる。
【００２１】
また、ポンプ４５はハンマードリル１の作動に連動して作動するので、作業者が注意を払わなくてもハンマードリル１の使用の際には自動的にビット１０への注水がなされて確実な冷却が可能となる。
さらに、注水口４０を、スライド管３８によって前後に移動可能としたことで、穿孔が進んでも注水口４０を作業面への当接位置に維持させることができる。よって、ビット１０が常に冷却可能となる。
加えて、注水口４０は、ビット１０が貫通可能なリング状であるので、ビット１０の周囲から万遍なく注水可能となり、冷却効果が高まる。
そして、貯水タンク４３の給水口４９に外部からホースを接続可能としているので、貯水タンク４３をいちいち取り出さなくても水の補給が簡単に行えるし、ホースを接続したまま使用することもできる。この場合、蓋体４８やケーシング３１の一部をなくして給水口４９を常に露出させるようにしてもよい。
【００２２】
なお、上記形態では、ポンプ４５の下流側の配管４４に弁４６を設けているが、弁４６は省略してもよい。貯水タンク４３の給水口４９も省略可能である。
また、上記形態では、ポンプ４５や注水コントローラ４７の電源をハンマードリル１から得るようにしているが、図３に示す注水装置３０Ａのように、ケーシング３１にもバッテリー５０を着脱可能に設ける等して独立した電源を備えることもできる。このようにすればハンマードリル１での電源消費量が少なくなってバッテリーパック２１の充電頻度が少なくなる。
【００２３】
さらに、ポンプ４５は必ずしもハンマードリル１の作動に連動させる必要はなく、図４に示す注水装置３０Ｂのように、ケーシング３１にポンプ４５の作動用のスイッチ５１を設けて注水コントローラ４７へ電気的に接続し、スイッチ５１のＯＮ／ＯＦＦ操作によってポンプ４５の作動をハンマードリル１と独立して行うようにすることも可能である。このようにすれば、例えばハンマードリル１の作動停止後にビット１０の冷却や洗浄のために注水装置３０Ｂを単独で作動させるといった使用が可能となり、使い勝手がより良好となる。但し、作動は独立であっても、バッテリー５０をなくして図１のようにハンマードリル１から電源を得ることは可能である。
【００２４】
一方、ポンプ４５の連動形態としては、例えば図５に示す注水装置３０Ｃのように、スライド管３８の所定の後退位置をリミットスイッチや近接センサ等のセンサ５２によって検出し、センサ５２による検出のタイミングでポンプ４５を作動させるようにしてもよい。このように注水口４０の後退に連動して作動させれば、作業前のハンマードリル１の作動で注水装置３０Ｃが作動して無駄な電力や水を消費することがなく、必要なタイミングで注水を行うことができる。なお、この場合もバッテリー５０をなくして図１のようにハンマードリル１から電源を得ることは可能である。
さらに、上記各例において、ケーシング３１に、ポンプ４５の出力を複数段階或いは無段階に切替可能な切替スイッチを設けてもよい。このような切替操作部を設ければ、ビットの種類や作業に応じた適切な注水量が選択可能となる。
そして、ポンプと電動工具の作動との連動において、ポンプ作動用のスイッチＯＮを前提条件としたり、注水口の後退を前提条件としたり、両者を前提条件としたりしてもよい。また、ポンプの作動用のスイッチを設けた場合も、直ちにポンプを動作させずに電動工具の作動を前提条件としたり、注水口の後退を前提条件としたり、両者を前提条件としたりしてもよい。すなわち、請求項４乃至６に係る何れかの発明をアンド条件で組み合わせることができる。
【００２５】
その他、ハンマードリルの形態も、モータやバッテリーパックの配置の変更の他、コネクタを回転でなく上下又は左右方向で接続位置と非接続位置との間をスライド可能に設けて、コイルバネや板バネ等の付勢手段で非接続位置へ付勢したりできる。注水装置への電源供給も、オス端子とメス端子との関係を逆にしたり、端子の差し込みに代えて、装着部と嵌合凹部との結合部分に互いに当接する端子部を設けたり等、適宜変更可能である。勿論ハンマードリルに限らず、注水装置を装着可能であれば、電動ドリル等の他の電動工具（ＡＣ工具も含む）であっても本発明は適用可能である。
【符号の説明】
【００２６】
１・・ハンマードリル、２・・ハウジング、３・・モータ、４・・出力軸、６・・中間軸、１０・・ビット、１１・・ツールホルダ、２１・・バッテリーパック、２２・・装着部、２３・・コントローラ、２５・・コネクタ、３０，３０Ａ〜３０Ｃ・・注水装置、３１・・ケーシング、３２・・嵌合凹部、３３・・オス端子、３７・・案内管、３８・・スライド管、３９・・ノズル、４０・・注水口、４１・・フレキシブルホース、４２・・ダクト、４３・・貯水タンク、４４・・配管、４５・・ポンプ、４６・・弁、４７・・注水コントローラ、４８・・蓋体、４９・・給水口、５０・・バッテリー、５１・・スイッチ、５２・・センサ。
【図１】
2016087752.tif 000003
【図２】
2016087752.tif 000004
【図３】
2016087752.tif 000005
【図４】
2016087752.tif 000006
【図５】
2016087752.tif 000007